(57)【要約】  消費財用の容器（１００）（２００）は、開いた端（１０３）（２０３）を有する管状本体（１０２）（２０２）を備える。管状本体（１０２）（２０２）は、細長い貯蔵ユニット（１０１）（２０１）を受容するための受容部を画定する。容器は、貯蔵ユニット（１０１）を受容および保持するよう適合された受容部内に保持フレーム（１０５）をさらに備える。保持フレーム（１０５）は、保持フレーム（１０５）が貯蔵ユニット（１０１）の保持表面と係合して貯蔵ユニット（１０１）を受容部内に保持する第一の構成と、貯蔵ユニット（１０１）が保持フレーム（１０５）との係合から解放されて容器（１００）から取り外される第二の構成との間で移動可能である。保持フレーム（１０５）は、支持リム（１０６）と、支持リム（１０６）に従属する、かつ受容部の中に半径方向に突出する可撓性タブ（１０７ａ、１０７ｂ）とを備える。第一の構成において、タブ（１０７ａ、１０７ｂ）の遠位端は、貯蔵ユニット（１０１）の保持表面と係合する。保持フレーム（１０５）が第一の構成から第二の構成に移動される時、タブ（１０７ａ、１０７ｂ）は、管状本体（１０２）の周壁に向かって曲げられ、かつ貯蔵ユニット（１０１）の保持表面から離れる。【選択図】図１
2021506680.tif 000002
【特許請求の範囲】
【請求項１】
少なくとも一つの細長い貯蔵ユニットを受容するための受容部を画定するための開いた第一の端および第二の端を有する管状本体と、
前記受容部内に配設された、かつ前記少なくとも一つの貯蔵ユニットを受容および保持するように適合された保持フレームであって、前記保持フレームが前記少なくとも一つの貯蔵ユニットを前記受容部内に保持するために、前記少なくとも一つの貯蔵ユニットの保持表面と係合するように適合されている第一の構成と、前記少なくとも一つの貯蔵ユニットが前記保持フレームとの係合から解放されて前記容器から取り外される第二の構成との間で移動可能である、保持フレームと、を備え、
前記保持フレームが、支持リムと、前記支持リムに従属する、かつ前記受容部の中に半径方向に突出する少なくとも一つの可撓性タブとを備え、これによって前記第一の構成において、前記タブの遠位端が前記少なくとも一つの貯蔵ユニットの前記保持表面と係合するように適合されていて、また前記保持フレームが前記第一の構成から前記第二の構成に移動した時、前記少なくとも一つのタブが前記管状本体の周壁に向かって、かつ前記少なくとも一つの貯蔵ユニットの前記保持表面から離れるように曲げられる、容器。
【請求項２】
前記保持フレームが、前記第一の構成と前記第二の構成との間で前記保持フレームが移動することを可能にする実質的に弾性的に変形可能な材料を含む、請求項１に記載の容器。
【請求項３】
前記保持フレームが、前記支持リムに従属する、かつ前記受容部の中に半径方向に突出する複数の可撓性タブを備え、前記複数の可撓性タブが、前記管状本体の前記周壁の周りに等しく離間している、請求項１または２に記載の容器。
【請求項４】
前記管状本体の前記第一の端にヒンジ留めされたリッドであって、前記リッドが前記管状本体の前記第一の端を閉塞する閉位置と、前記リッドが旋回して前記管状本体の前記開いた第一の端を明らかにする開位置との間で移動可能である、リッドをさらに備える、請求項１〜３のいずれか一項に記載の容器。
【請求項５】
前記管状本体の前記第二の端が閉じている、請求項１〜４のいずれか一項に記載の容器。
【請求項６】
前記管状本体の前記第二の端が開いていて、かつ少なくとも一つの細長い貯蔵ユニットが前記開いた第二の端を通して前記容器に入りうる、請求項１〜４のいずれか一項に記載の容器。
【請求項７】
請求項５に記載の第一の容器および請求項５に記載の第二の容器を備え、前記第一の容器と前記第二の容器が実質的に軸方向に整列するように、前記第一の容器の前記管状本体の前記閉じた第二の端が、前記第二の容器の前記管状本体の前記閉じた第二の端に接続されている、容器配列。
【請求項８】
前記複数の容器が互いに隣接して配設されていて、かつそれらの管状本体に沿って相互に接続されている、請求項１〜６のいずれか一項に記載の複数の容器を含む容器配列。
【請求項９】
受容部を画定するための開いた第一の端および第二の端を有する管状本体と、
前記受容部内に受容された少なくとも一つの細長い貯蔵ユニットと、
前記受容部内に配設された、かつ前記少なくとも一つの貯蔵ユニットを受容および保持するように適合された保持フレームであって、前記保持フレームが前記少なくとも一つの貯蔵ユニットを前記受容部内に保持するために、前記少なくとも一つの貯蔵ユニットの保持表面と係合するように適合されている第一の構成と、前記少なくとも一つの貯蔵ユニットが前記保持フレームとの係合から解放されて前記容器から取り外される第二の構成との間で移動可能な保持フレームと、を備え、前記少なくとも一つの貯蔵ユニットが、ステム直径を有するステム部分と、前記ステム直径より大きい係合直径を有する係合部分とを備え、前記係合部分が前記貯蔵ユニットの前記保持表面を画定する、容器。
【請求項１０】
前記保持フレームが、支持リムと、前記支持リムに従属する、かつ前記受容部の中に半径方向に突出する少なくとも一つの可撓性タブとを備え、これによって前記第一の構成において、前記タブの遠位端が前記少なくとも一つの貯蔵ユニットの前記保持表面と係合するように適合されていて、また前記保持フレームが前記第一の構成から前記第二の構成に移動した時、前記少なくとも一つのタブが前記管状本体の周壁に向かって、かつ前記少なくとも一つの貯蔵ユニットの前記保持表面から離れるように曲げられる、請求項９に記載の容器。
【請求項１１】
前記第一の構成において、前記タブの前記遠位端と前記容器の反対側の表面との間の距離が、少なくとも前記ステム直径と同じくらい大きく、かつ係合直径より小さく、また前記第二の構成において、前記タブの前記遠位端と前記容器の反対側の表面との間の距離が、少なくとも前記係合直径と同じくらい大きい、請求項１０に記載の容器。
【請求項１２】
前記貯蔵ユニットが、密封タブによって密封されていて、前記密封タブの表面のある区域が、前記保持フレームまたは前記管状本体の表面に永久的に貼り付けられていて、これによって、前記貯蔵ユニットが前記容器から取り外される時に、前記密封タブが前記貯蔵ユニットから取り外されて、前記貯蔵ユニットの開口部がユーザーに明らかにされる、請求項９〜１１のいずれか一項に記載の容器。
【請求項１３】
請求項９〜１２のいずれか一項に記載の容器と、前記少なくとも一つの貯蔵ユニットの前記ステム部分を受容するためのくぼみを備える細長いホルダーと、を備え、前記くぼみおよび前記ステム部分が相互の係止係合のために構成されていて、前記ホルダーの外径が少なくとも実質的に前記係合直径と同じくらい大きい、キット。
【請求項１４】
前記管状本体の内部横断寸法が、前記ホルダーの前記外径より約０．５ミリメートル〜約１．５ミリメートル大きい、請求項１３に記載のキット。
【発明の詳細な説明】
【技術分野】
【０００１】
本発明は、エアロゾル発生物品用の貯蔵ユニット（例えば、カートリッジ）などの消費財用の容器としての特定の用途がある新しい容器に関する。
【背景技術】
【０００２】
エアロゾル発生物品およびその他の消費財を、折り曲げられた層状ブランクから形成された容器内に包装することが知られている。消費財は一般的に、消費財を収納するためのボックスと、容器の壁を横切って延びるヒンジ線を中心としてボックスに接続されたリッドとを有する容器に入れて販売される。こうしたパックは典型的に、層状の厚紙ブランクから構築されている。リッドは、単純なリッドフラップまたは三次元のカップ形状のヒンジリッドの形態を取りうる。使用時に、リッドはヒンジ線を中心として旋回してパックを開き、ボックス内のアクセス開口部を露出させ、これによって消費者はボックス内に保持された消費財へのアクセスを得ることができる。周知のパッケージの典型的な例としては、従来の紙巻たばこパックが挙げられる。
【０００３】
しかしながら、紙巻たばこパックなどの周知のヒンジリッド容器では、容器内に格納された消費財は、容器内で動き回る可能性がある場合がある。これは、容器が完全に満杯になっていない場合に特に当てはまる。これは、移動が消費財を損傷する場合があるため、望ましくない可能性がある。また、移動は、消費財にアクセスすること、および容器から取り外すことをより困難にする場合もある。例えば、消費財は消費者にとって最もアクセスしにくい容器の底部に向かって移動する傾向を有する場合がある。加えて、一部の場合において、消費財が所定の順序で格納されることが望ましい場合がある。これは、消費財が容器内を動き回ることができる場合に達成することが困難である。典型的な容器内の消費財の移動に関連するこれらの欠陥を克服する消費者製品用の容器を提供することが望ましいことになる。
【０００４】
加えて、多くの場合において、消費者製品用の容器は、容器内に含有された消費財に子どもがアクセスするのを防止するように構成されることが望ましい。これは、子どもがある特定のタイプの消費財にアクセスするリスクを低減することでありうる。一部の場合において、こうしたチャイルドレジスタント設計の提供は、地方条例によって要求される場合がある。例えば、多くの法域では、処方薬、市販薬、ニコチンを含有する可能性がある再充填容器、家庭用化学品等でチャイルドレジスタント包装を使用することを規定している。しかしながら、消費財用の典型的な周知のパッケージは、必ずしもチャイルドレジスタントではない。従って、中に含有された消費財に子どもがアクセスすることを防止する消費財用の容器を提供することも望ましいことになる。
【発明の概要】
【発明が解決しようとする課題】
【０００５】
従って、容器内を動き回る消費者製品に関連する不都合を克服する、および容器内に受容された消費者製品に子どもがアクセスするリスクを低減する消費財用の改善された容器を提供することが本発明の目的である。
【０００６】
また、消費者製品を子どもにとって安全な方法で、便利に取り外すことができる容器を提供することも本発明の目的である。
【課題を解決するための手段】
【０００７】
本発明の第一の態様によると、少なくとも一つの細長い貯蔵ユニットを受容するための受容部を画定するための開いた第一の端および第二の端を有する管状本体と、受容部内に配設された、かつ少なくとも一つの貯蔵ユニットを受容および保持するように適合された保持フレームであって、保持フレームが少なくとも一つの貯蔵ユニットを受容部内に保持するために、少なくとも一つの貯蔵ユニットの保持表面と係合するように適合されている第一の構成と、少なくとも一つの貯蔵ユニットが保持フレームとの係合から解放されて容器から取り外される第二の構成との間で移動可能である保持フレームとを備える容器が提供されている。さらに、保持フレームは、支持リムと、支持リムに従属する、かつ受容部の中に半径方向に突出する少なくとも一つの可撓性タブとを備え、これによって第一の構成において、タブの遠位端が少なくとも一つの貯蔵ユニットの保持表面と係合するように適合されていて、また保持フレームが第一の構成から第二の構成に移動した時、少なくとも一つのタブが管状本体の周壁に向かって、かつ少なくとも一つの貯蔵ユニットの保持表面から離れるように曲げられる。
【０００８】
動作時に、少なくとも一つの細長い貯蔵ユニットは管状本体内に保持されている。少なくとも一つの細長い貯蔵ユニットは、保持フレームが第一の構成にある時に、保持フレームによって定位置に保持されている。第一の構成において、保持フレームは、少なくとも一つの貯蔵ユニットの保持表面と係合して、貯蔵ユニットを受容部内に保持する。ユーザーが受容部から少なくとも一つの貯蔵ユニットを取り外すことを望む時、保持フレームは、少なくとも一つの貯蔵ユニットが保持フレームとの係合から解放されるように移動される。これは、少なくとも一つの貯蔵ユニットが容器から取り外されることを可能にする。
【０００９】
この提供は有利なことに、少なくとも一つの細長い貯蔵ユニットを格納するためのチャイルドレジスタントの手段を提供し、依然として少なくとも一つの貯蔵ユニットが消費者によって容易に取り外されることを可能にする。加えて、第一の構成における少なくとも一つの貯蔵ユニットと直接係合する保持フレームの提供は有利なことに、少なくとも一つの細長い貯蔵ユニットを定位置に保持し、かつ少なくとも一つの細長い貯蔵ユニットが容器内で移動するのを防止して、少なくとも一つの細長い貯蔵ユニットに対する損傷を防止し、かつ所望される時、消費者が容易にアクセスすることを可能にする。
【００１０】
本明細書で使用される「チャイルドレジスタント」という用語は、子どもが、ある特定の消費財（細長い貯蔵ユニットなど）を容器から取り外すことを防止するように設計されているシステムを指す。
【００１１】
受容部は、任意の数の細長い貯蔵ユニットを収容するようにサイズ設定されてもよい。受容部が複数の細長い貯蔵ユニットを収容するようにサイズ設定されている場合、開いた第一の端に最も近い細長い貯蔵ユニットのみが、保持フレームによって直接保持される。少なくとも一つの細長い貯蔵ユニットは、液体または粉末を保持するためであってもよい。
【００１２】
本明細書で使用される「管状」という用語は、細長い中空体を指す。管状本体は任意の断面形状を有してもよい。例えば、管状本体は円形、正方形、または長楕円形の断面形状を有してもよい。細長い中空体は、少なくとも一つの細長い貯蔵ユニットの断面形状に適合する断面形状を有してもよい。これは、受容部が複数の細長い貯蔵ユニットを保持するように設計されている場合に有利であり、その理由は、これが受容部内で細長い貯蔵ユニットを実質的に軸方向の整列で配設されることを可能にするからである。これは、複数の細長い貯蔵ユニットの移動を防止し、容器内で所定の順序で保持されることを可能にする。
【００１３】
管状本体は、折り曲げられたブランクから形成されてもよい。管状本体は、厚紙、ボール紙、プラスチック、金属、またはこれらの組み合わせから形成されてもよい。
【００１４】
管状本体は、少なくとも一つの細長い貯蔵ユニットが少なくとも一つの開口部を通過することを防止するのに十分に小さい少なくとも一つの開口部を含んでもよい。
【００１５】
少なくとも一つの開口部の提供は有利なことに、重量および材料を節約する場合がある。さらに、消費者が管状本体の中を見ることを可能にしてもよく、それによって消費者は細長い貯蔵ユニットが容器内に幾つ残っているかを判定することができる。
【００１６】
保持フレームは、任意の手段によって第一の構成と第二の構成の間で移動可能であってもよい。例えば、保持フレームは、第一の構成と第二の構成の間を手で移動可能であってもよい。保持フレームは、少なくとも一つの貯蔵ユニットを受容するように設計された細長いホルダーなどの外部ツールによって、第一の構成と第二の構成の間で移動可能であってもよい。例えば、管状本体の開いた第一の端を通過することができるような外径と、および少なくとも一つの細長い貯蔵ユニットを受容するようにサイズ設定された端くぼみとを有する細長い管状ホルダーは、保持フレームが第一の構成にある間に、管状本体の開いた第一の端の中に、くぼみ端が先になるように、挿入されてもよい。ホルダーを管状本体の開いた第一の端の中に挿入する動作は、保持フレームを第二の構成に移動させる場合があり、これによって少なくとも一つの細長い貯蔵ユニットを解放する。少なくとも一つの細長い貯蔵ユニットは、ホルダーの端くぼみの内表面と係合してもよく、またホルダーは、くぼみ内に配置された少なくとも一つの細長い貯蔵ユニットとともに取り外されてもよい。
【００１７】
本発明による容器には、エアロゾル発生物品で使用する構成要素用のパックとしての特定の用途がある。
【００１８】
保持フレームは、保持フレームが第一の構成と第二の構成の間で移動することを可能にする実質的に弾性的に変形可能な材料を含んでもよい。
【００１９】
これは有利なことに、単純な手段を提供し、これによって保持フレームは、複雑な移動部品を必要とせずに二つの構成間を移動しうる。弾性変形可能材料は、第一の構成に向かって付勢される場合があり、これによって保持フレームを第一の構成から第二の構成に移動させるために外力が必要とされる。この力がない場合、保持フレームは第一の構成を採用する。
【００２０】
保持フレームは、厚紙、金属、またはプラスチックから形成されてもよい。理論に束縛されることを望むものではないが、これらの材料は、容器の適正な動作を確実することができる可撓性の値を有するように構成されることができることが予想される。
【００２１】
簡単に上述した通り、保持フレームは、支持リムと、支持リムに従属する、かつ受容部の中に半径方向に突出する少なくとも一つの可撓性タブとを備え、これによって第一の構成において、タブの遠位端が少なくとも一つの貯蔵ユニットの保持表面と係合するように適合されていて、また保持フレームが第一の構成から第二の構成に移動した時、少なくとも一つのタブが管状本体の周壁に向かって、かつ少なくとも一つの貯蔵ユニットの保持表面から離れるように曲げられる。
【００２２】
第一の構成において、少なくとも一つの可撓性タブは有利なことに、少なくとも一つの貯蔵ユニットの保持表面上に力を加えて、少なくとも一つの貯蔵ユニットを定位置に保持する。
【００２３】
保持フレームは、支持リムに従属する、かつ受容部の中に半径方向に突出する複数の可撓性タブを備えてもよく、複数の可撓性タブは、管状本体の周壁の周りに等しく離間しうる。
【００２４】
複数の可撓性タブの提供は有利なことに、少なくとも一つの貯蔵ユニットをより効果的に保持するように、少なくとも一つの貯蔵ユニットがすべての側から把持されることを可能にする場合がある。
【００２５】
保持フレームは、任意の数の可撓性タブを含んでもよい。例えば、保持フレームは、２、３、４、または５個の可撓性タブを備えてもよい。保持フレームが偶数個の可撓性タブを備える場合、各可撓性タブは、別の可撓性タブの実質的に反対側に配置される。理論に束縛されることを望むものではないが、これは有利なことに、各可撓性タブが、別の可撓性タブによって真っ向から対抗する力を加えて、少なくとも一つの貯蔵ユニットを効果的に保持することを意味する場合がある。
【００２６】
容器は、管状本体の第一の端にヒンジ留めされたリッドであって、リッドが管状本体の第一の端を閉塞する閉位置と、リッドが旋回して管状本体の開いた第一の端を明らかにする開位置との間で移動可能なリッドをさらに備えてもよい。
【００２７】
リッドの提供は有利なことに、子どもが少なくとも一つの細長い貯蔵ユニットにアクセスすることおよびこれを容器から取り外すことを防止するための追加的な手段を提供する。リッドはまた有利なことに、受容部および少なくとも一つの細長い貯蔵ユニットを汚染しうる材料の侵入を防止する場合がある。
【００２８】
リッドは管状本体と一体的に形成されてもよい。この場合、リッドは、リビングヒンジによって管状本体にヒンジで結合されてもよい。
【００２９】
容器は、リッドを閉位置で固定するための手段をさらに備えてもよい。これは、リッドが閉位置にある時に、管状本体の内表面上の対応する陥凹部と係合するリッド上に突出部を提供することによって達成されうる。別の方法として、または追加的に、リッドは、閉位置において、管状本体の内表面との締まり嵌めを形成するようにサイズ設定されてもよい。
【００３０】
動作時に、ユーザーは、少なくとも一つの貯蔵ユニットを取り外す前に、リッドを開位置にする必要があることになる。
【００３１】
管状本体の第二の端は閉じていてもよい。
【００３２】
この場合、少なくとも一つの貯蔵ユニットを、開いた第一の端を通して容器に挿入することのみができる、または容器から取り外すことのみができる。管状本体の第二の端が閉じている場合、容器は一つの貯蔵ユニットのみを収容するように設計されてもよい。
【００３３】
管状本体の第二の端は開いていてもよく、また少なくとも一つの細長い貯蔵ユニットは、開いた第二の端を通して容器に入ってもよい。
【００３４】
管状本体の第二の端が開いている場合、容器は二つ以上の細長い貯蔵ユニットを収容するように設計されてもよい。この場合、細長い貯蔵ユニットは、開いた第二の端を通して容器の中に挿入されてもよく、かつ開いた第一の端を通して容器から取り外されてもよい。細長い貯蔵ユニットは第二の端の中に挿入されるので、これは既に容器内にある細長い貯蔵ユニットを第一の端に向かって押す場合がある。有利なことに、これは、細長い貯蔵ユニットの順序を維持しながら、容器が再充填されることを可能にする。これはまた有利なことに、容器内により長く存在する細長い貯蔵ユニットが最初に使用されることを確実にしながら、容器が細長い貯蔵ユニットで再充填されることを可能にする。
【００３５】
さらに、この提供は有利なことに、容器が使用済みの細長い貯蔵ユニットと未使用の細長い貯蔵ユニットとの両方を格納することを可能にする。未使用の細長い貯蔵ユニットは、上述の通り、管状本体の第一の端から取り外されてもよい。細長い貯蔵ユニットは使用されると、管状本体の開いた第二の端に挿入されてもよい。これは、既に容器内にある細長い貯蔵ユニットを、開いた第一の端に向かって押し出してもよい。
【００３６】
容器は、管の開いた第二の端から少なくとも一つの細長い貯蔵ユニットを取り外すことを防止するための手段をさらに備えてもよい。これは有利なことに、細長い貯蔵ユニットの順序が維持されることを確実にし、かつユーザーが偶発的に既に使用された細長い貯蔵ユニットを再使用するのを防止するのに役立つ場合がある。これはまた有利なことに、容器がチャイルドレジスタントであることを確実にする。
【００３７】
容器は、管状本体の第二の端にヒンジ留めされたリッドであって、リッドが管状本体の第二の端を閉塞する閉位置と、リッドが旋回して管状本体の開いた第二の端を明らかにする開位置との間で移動可能なリッドを備えてもよい。
【００３８】
本発明の第二の態様において、第一の容器および第二の容器を含む容器配列が提供されていて、第一の容器および第二の容器の両方は、第二の端が閉じている管状本体を含む。第一の容器の管状本体の閉じた第二の端は、第一の容器および第二の容器が実質的に整列するように、第二の容器の管状本体の閉じた第二の端に接続されている。
【００３９】
これは有利なことに、容器配列が好都合なことに複数の細長い貯蔵ユニットを別個に格納することを可能にする。これは、各貯蔵ユニットが使用前に密封されたままになることを可能にする場合がある。
【００４０】
本発明の第三の態様において、互いに隣接して配設された、かつそれらの管状本体に沿って相互に接続された複数の容器を含む容器配列が提供されている。
【００４１】
本発明の第三の態様の容器配列は、開放端、閉鎖端、またはそれら二つの組み合わせである第二の端を有する管状本体を有する容器を備えてもよい。互いに隣接して配設された複数の容器を有する配列の提供は有利なことに、複数の異なる細長い貯蔵ユニットを同時に使用可能にすることができ、消費者が欲しい貯蔵ユニットを選ぶ選択肢を消費者に与える。
【００４２】
本発明の第二の態様または第三の態様のいずれかの容器配列は、容器を囲む外側ハウジングをさらに備える場合がある。
【００４３】
外側ハウジングは任意の材料から形成されてもよい。例えば、外側ハウジングは、プラスチック、厚紙、またはこれらの組み合わせを含んでもよい。外側ハウジングは、折り曲げられた層状ブランクから形成されてもよい。
【００４４】
外側ハウジングの提供は有利なことに、子どもが少なくとも一つの細長い貯蔵ユニットにアクセスすることをさらに防止し、配列をチャイルドレジスタントにする。外側ハウジングはまた、複数の容器を損傷から保護する場合もある。
【００４５】
本発明の第二の態様および第三の態様による容器配列のうちのいずれかにおいて、容器配列の個別の容器はユーザーによって分離されてもよい。例えば、隣接した容器は、容器を分離するためにユーザーが破断しうる虚弱線に沿って互いに接続されてもよい。虚弱線は、材料の薄片または穿孔された材料片を含んでもよい。または、虚弱線は隣接した容器を接続する接着剤を含んでもよい。ユーザーが分離してもよい容器配列の個々の容器の提供は有利なことに、ユーザーが一度により少ない数の容器を携行することを可能にし、空間を節約することができる。
【００４６】
本発明の第二の態様または第三の態様による容器配列は、容器の管状本体の外側の少なくとも一部分を覆う外側ラッパーをさらに備えてもよい。外側ラッパーは、紙、金属箔、または高分子フィルムなどの薄膜材料から形成されてもよい。外側ラッパーは製品情報を表示してもよい。容器配列が外側ハウジングを含む場合、外側ラッパーは、複数の容器とともに外側ハウジングの中に適合するようにサイズ設定されてもよい。
【００４７】
容器配列の個別の容器が分離可能である場合、外側ラッパーは、隣接した容器が分離されうる場所を示してもよい。例えば、外側ラッパーは、虚弱線の、印刷された表示を含んでもよい。外側ラッパーは、隣接した容器が分離される時、外側ラッパーが破られるように、二つの隣接した容器の少なくとも一部分を覆う場合がある。この場合、外側ラッパーは、隣接した容器の間の虚弱線の上にある穿孔された線を含んでもよい。これは有利なことに、制御された様態で外側ラッパーが破けて、きれいな破断を形成することを確実にする。これはまた有利なことに、容器配列の容器が分離されてもよいことをユーザーに示す。
【００４８】
本発明の第四の態様において、受容部を画定するための開いた第一の端および第二の端を有する管状本体と、容器内に受容された少なくとも一つの細長い貯蔵ユニットと、受容部内に配設された、かつ少なくとも一つの貯蔵ユニットを受容および保持するように適合された保持フレームであって、保持フレームが少なくとも一つの貯蔵ユニットを受容部内に保持するために、少なくとも一つの貯蔵ユニットの保持表面と係合するように適合されている第一の構成と、少なくとも一つの貯蔵ユニットが保持フレームとの係合から解放されて容器から取り外される第二の構成との間で移動可能である保持フレームとを備え、少なくとも一つの貯蔵ユニットが、ステム直径を有するステム部分と、およびステム直径より大きい係合直径を有する係合部分とを備え、係合部分が貯蔵ユニットの保持表面を画定する、容器が提供されている。
【００４９】
本発明の第四の態様の保持フレームは、支持リムと、支持リムに従属する、かつ受容部の中に半径方向に突出する少なくとも一つの可撓性タブとを備え、これによって第一の構成において、タブの遠位端が少なくとも一つの貯蔵ユニットの保持表面と係合するように適合されていて、また保持フレームが第一の構成から第二の構成に移動した時、少なくとも一つのタブが管状本体の周壁に向かって、かつ少なくとも一つの貯蔵ユニットの保持表面から離れるように曲げられる。
【００５０】
第一の構成において、タブの遠位端と容器の反対側の表面との間の距離は、少なくともステム直径と同じくらい大きく、かつ係合直径より小さく、また第二の構成において、タブの遠位端と容器の反対側の表面との間の距離は、少なくとも係合直径と同じくらい大きい。
【００５１】
これは有利なことに、第一の構成において、少なくとも一つの貯蔵ユニットの係合部分が、タブと容器の反対側の表面との間を通過できず、これによって少なくとも一つの貯蔵ユニットを受容部内に保持することを意味する。反対に、第二の構成において、係合部分は、タブと容器の反対側の表面との間を通ることができ、これによって少なくとも一つの貯蔵ユニットを容器から取り外すことを可能する。
【００５２】
容器が二つ以上タブを備える場合、二つの向かい合ったタブの間の距離は、第一の構成において、少なくともステム直径と同じくらい大きく、かつ係合直径未満であり、また第二の構成において、少なくとも係合直径と同じくらい大きいという距離であってもよい。
【００５３】
貯蔵ユニットは密封タブによって密封されてもよく、密封タブの表面のある区域は、保持フレームの表面または管状本体の表面に永久的に貼り付けられていて、これによって、貯蔵ユニットが容器から取り外される時、密封タブが貯蔵ユニットから取り外されて貯蔵ユニットの開口部をユーザーに対して明らかにする。
【００５４】
本発明の第五の態様において、本発明の第四の態様による容器と、少なくとも一つの貯蔵ユニットのステム部分を受容するためのくぼみを備える細長いホルダーと、を備えるキットが提供されていて、くぼみとステム部分は相互の係止係合のために構成されていて、ホルダーの外径は係合直径と少なくとも実質的に同じくらい大きい。
【００５５】
管状本体の内部横断寸法は、ホルダーの外径より少なくとも０．５ミリメートル大きくてもよい。
【００５６】
本明細書で使用される「横断方向」という用語は、受容部の軸と直交する方向に関する。
【００５７】
管状本体の内部横断寸法は、ホルダーの外径より１．５ミリメートル未満大きくてもよい。
【００５８】
管状本体の内部横断寸法は、ホルダーの外径より約０．５ミリメートル〜約１．５ミリメートル大きくてもよい。例えば、管状本体の内部横断寸法は、ホルダーの外径より１．０ミリメートル大きくてもよい。これは有利なことに、貯蔵ユニットを取り外すためにホルダーが使用される時、ホルダーが管状本体の中に通ることができることを確実にする。
【００５９】
当然のことながら、本発明の一態様の任意の特徴は、任意の適切な組み合わせで本発明のその他の態様に適用されてもよい。さらに、一態様における任意の、一部の、および／またはすべての特徴を、任意の適切な組み合わせで、任意の他の態様における任意の、一部の、および／またはすべての特徴に適用することができる。
【００６０】
これはまた当然のことながら、本発明の任意の態様において説明および定義された様々な特徴の特定の組み合わせを、独立して実施および／または供給および／または使用することもできる。
【００６１】
ここで本発明を、添付図面を参照しながら、例証としてのみではあるが詳述する。
【図面の簡単な説明】
【００６２】
【図１】図１は、単一の貯蔵ユニットを収容するようにサイズ設定された本発明の第一の態様による容器の断面側面図である。
【図２】図２は、複数の貯蔵ユニットを収容するようにサイズ設定された本発明の第一の態様による容器の断面側面図である。
【図３】図３は、貯蔵ユニットがどのように容器の中に挿入されるかを示す、複数の貯蔵ユニットを収容するようにサイズ設定された本発明による容器の断面側面図である。
【図４】図４は、本発明の第二の態様による容器配列の断面側面図である。
【図５】図５は、本発明の第三の態様による容器配列の斜視図である。
【図６】図６は、本発明の第一の態様の容器で使用する細長いホルダーおよび貯蔵ユニットの側面図である。
【発明を実施するための形態】
【００６３】
図１は、容器１００内に受容された貯蔵ユニット１０１を有する容器１００を示す。容器１００は、受容部を画定する管状本体１０２を備える。管状本体１０２は、単一の貯蔵ユニット１０１を収容するようにサイズ設定されていて、またポリマーから形成されている。管状本体１０２は、開いた第一の端１０３および閉じた第二の端１０４を有する。容器１００は、ポリマーから形成された保持フレーム１０５をさらに備える。保持フレーム１０５は、管状本体の開いた第一の端１０３を囲む支持リム１０６を備える。保持フレーム１０５は、支持リム１０６に従属する、かつリム１０６から受容部の中に半径方向に突出する一対の向かい合ったタブ１０７ａ、１０７ｂをさらに備える。
【００６４】
容器は、管状本体１０２の開いた第一の端１０３にヒンジ留めされたリッド１０８をさらに備える。リッド１０８は、管状本体１０２と一体的に形成され、かつリビングヒンジによって管状本体１０２に取り付けられている。リッド１０８は、リッド１０８が管状本体１０２の開いた第一の端１０３を閉塞する閉位置と、リッド１０８が旋回して管状本体１０２の開いた第一の端１０３を明らかにする開位置との間で移動可能である。リッド１０８は、閉位置において、管状本体１０２の内表面上の対応する陥凹部１１０と係合して、リッド１０８を閉位置に保持する突出部１０９を含む。
【００６５】
貯蔵ユニット１０１は、ステム部分と、保持表面を画定する係合部分とを備える。ステム部分および係合部分は軸方向に整列されていて、また係合部分の直径はステム部分の直径より大きい。
【００６６】
動作時に、貯蔵ユニット１０１が使用される前に、保持フレーム１０５は、タブ１０７ａ、１０７ｂが貯蔵ユニット１０１のステムと係合する第一の構成にあり、より広い係合部分は貯蔵ユニット１０１が管状本体１０２の外に出るのを防止する。貯蔵ユニット１０１を取り外すために、保持フレーム１０５は第二の構成に移動され、この第二の構成では、タブ１０７ａ、１０７ｂの遠位端が管状本体１０２の周壁に向かって移動し、貯蔵ユニット１０１のステムから離れるように、タブ１０７ａ、１０７ｂが曲げられる。これは向かい合ったタブ１０７ａ、１０７ｂの遠位端の間の距離を増大し、これによって、係合部分はそれらの間を通って、かつ管状本体１０１の開いた第一の端１０３の外から出ることができる。
【００６７】
図２はさらなる容器２００を示す。容器２００は、軸方向に整列した三つの貯蔵ユニット２０１を収容するようにサイズ設定され、かつ開いた第一の端２０３に対向する開いた第二の端２０４を含む。開いた第二の端２０４は、管状本体２０２の第二の端２０４にヒンジ留めされたリッド２１１によって閉じられている。リッド２１１は、リッド２１１が管状本体２０２の第二の端２０４を閉塞する閉位置と、リッド２１１が旋回して管状本体２０２の開いた第二の端２０４を明らかにする開位置との間で移動可能である。
【００６８】
図３は、図２の容器２００の動作を示す。貯蔵ユニット２０１は、空間２１２を残して、管状本体２０２の開いた第一の端２０３から取り外されている。貯蔵ユニット２０１が使用されると、管状本体２０２の開いた第二の端２０４を閉塞するリッド２１１が開かれ、使用済みの貯蔵ユニット２０１が、開いた第二の端２０４の中に挿入される。これは、残っている貯蔵ユニットを管状本体２０２の第一の端２０３に向かって押す。
【００６９】
図４は容器配列４２０を示す。配列４２０は、閉じた第二の端４０４ａを有する管状本体を有する第一の容器４００ａと、閉じた第二の端４０４ｂを有する管状本体を有する第二の容器４００ｂとを備える。第一の容器４００ａの管状本体の閉じた第二の端４０４ａは、第一の容器４００ａおよび第二の容器４００ｂが軸方向に整列するように、第二の容器４００ｂの管状本体の閉じた第二の端４０４ｂに接続されている。第一の容器４００ａおよび第二の容器４００ｂは、ユーザーが分離できるように虚弱線に沿って接続されている。第一の容器４００ａおよび第二の容器４００ｂは相互に同一であり、また各々が図１に示す例と同じである。
【００７０】
図５はさらなる容器配列５２０を示す。配列５２０は、第一の容器５００ａ、第二の容器５００ｂ、および第三の容器５００ｃを備える。第一の容器５００ａ、第二の容器５００ｂ、および第三の容器５００ｃの各々は相互に同一であり、また各々は図１に示す容器１００と概して同一である。第一の容器５００ａ、第二の容器５００ｂ、および第三の容器５００ｃの各々は、単一の貯蔵ユニット１０５を受容するようにサイズ設定されていて、配列５２０が合計で三つの貯蔵ユニットを収容することができることを意味する。第一の容器５００ａ、第二の容器５００ｂ、および第三の容器５００ｃは、互いに隣接して配設されていて、またそれらの管状本体に沿って一つの隣接した容器または複数の隣接した容器に接続されている。
【００７１】
容器配列５２０は、三つの容器５００ａ、５００ｂ、５００ｃを包囲する外側ハウジング５２１をさらに備える。外側ハウジング５２１は、層状ブランクから形成されていて、また開口部５２３を閉じる一体的に形成されたヒンジリッド５２２を含む。使用時に、容器５００ａ、５００ｂ、５００ｃは、管状本体の開いた第一の端が外側ハウジング５２１の開口部５２３と同様に面する状態で、外側ハウジング５２１内に配設されている。外側ハウジング５２１は厚紙から形成されている。
【００７２】
図６は、細長いホルダー６３０および貯蔵ユニット６０１を示す。細長いホルダー６３０は、上述の容器のうちのいずれかから貯蔵ユニット６０１を取り外すためのものである。貯蔵ユニット６０１は、ステム直径を有するステム部分６４１と、ステム直径より大きい係合直径を有する係合部分６４２とを備える。係合部分６４２は、支持フレーム１０５と係合する貯蔵ユニット６０１の保持表面を画定する。上述の容器のうちのいずれかは、細長いホルダー６３０をさらに備えるキットの一部として提供されてもよい。ホルダー６３０は、貯蔵ユニット６０１のステム部分６４１を受容するためのくぼみ６３１を備える。くぼみ６３１およびステム部分６４１は、相互の解放可能な係止係合のために効果的に構成されていて、またホルダー６３０の外径は、係合部分６４２の係合直径と少なくとも実質的に同じくらい大きい。
【００７３】
それ故に、消費者は有利なことに、貯蔵ユニット６０１を容器から取り外すためにホルダー６３０を使用しうる。この目的のために、消費者は、ステム部分６４１がくぼみ６３１の中に受容されていて、ホルダー６３０および貯蔵ユニット６０１が係止係合状態にあるように、貯蔵ユニット６０１の上にホルダー６３０を摺動する。同時に、くぼみ６３１を囲む側壁は、保持フレーム１０５のタブ１０７ａ、１０７ｂを第一の構成から第二の構成に押す。これは貯蔵ユニット１０１を保持フレーム１０５から解放する。
【図１】
2021506680.tif 000003
【図２】
2021506680.tif 000004
【図３】
2021506680.tif 000005
【図４】
2021506680.tif 000006
【図５】
2021506680.tif 000007
【図６】
2021506680.tif 000008
【国際調査報告】
2021506680.tif 000009
2021506680.tif 000010